(57)【要約】【課題】添付物をカードと一体に保持させることができるメッセージカードを提供することを課題とする。【解決手段】メッセージカードは、カード本体１と補助片２から構成され、補助片２はカード本体１の一側縁部にミシン目３を介して連結されている。カード本体１は、互いに同じ大きさのカード部分４および５に分割されるように二つ折りされ、カード部分５の一側縁部にミシン目３を介して補助片２が連結され、補助片２はミシン目３でカード部分５の表面上に折り込まれ、カード部分４をカード部分５の上に重ねるように折り畳んだときに、補助片２がカード部分４および５の間に挟まれる。補助片２の切り込み６に添付物が挿入保持される。【選択図】図１
0003124197.tif 000002
【実用新案登録請求の範囲】
【請求項１】
メッセージを記すためのカード本体と、
前記カード本体の一側縁部にミシン目を介して連結されると共に添付物を挿入保持するための切り込みを有する補助片と
を備え、前記補助片が前記ミシン目により前記カード本体から切り離し自在になっていることを特徴とするメッセージカード。
【請求項２】
前記補助片は前記ミシン目で前記カード本体の表面上に折り込まれ、前記カード本体は前記補助片を間に挟むように二つ折りされる請求項１に記載のメッセージカード。
【請求項３】
メッセージとして会葬のあいさつが前記カード本体に記され、前記添付物は清めの塩を収容した袋である請求項１または２に記載のメッセージカード。
【請求項４】
メッセージとして営業上のあいさつが前記カード本体に記され、前記添付物は名刺または営業上の特典が示されたクーポン券である請求項１または２に記載のメッセージカード。
【請求項５】
メッセージとして製品の説明が前記カード本体に記され、前記添付物はその製品の試供品である請求項１または２に記載のメッセージカード。
【考案の詳細な説明】
【技術分野】
【０００１】
この考案は、メッセージカードに係り、特に添付物を一体に保持させることができるメッセージカードに関する。
【背景技術】
【０００２】
従来から、相手にメッセージを伝えるためにメッセージカードが使用されている。例えば、カードにメッセージを記して贈答品に添えたり、そのまま郵送することもある。また、営業上のメッセージを記したカードを客先に渡したり、葬儀の際には参列者に会葬の礼を記したカードを礼状として手渡すこともある。
【考案の開示】
【考案が解決しようとする課題】
【０００３】
このようにメッセージカードは幅広い場面で利用されているが、例えば、営業で用いられるメッセージカードを渡す際には、名刺を添えたい場合がある。また、会葬の礼状を渡す際には、清めの塩を一緒に渡したい場合がある。このような場合に、名刺や清めの塩などの添付物をメッセージカードと共に渡しても、添付物がカードと一体となっていないため、メッセージカードを受け取る際やバッグ等に入れる際などに添付物が落ちてしまったり、添付物がカードと離れて見失うこともあるという問題があった。
【０００４】
この考案はこのような問題点を解消するためになされたもので、添付物をカードと一体に保持させることができるメッセージカードを提供することを目的とする。
【課題を解決するための手段】
【０００５】
この考案に係るメッセージカードは、メッセージを記すためのカード本体と、カード本体の一側縁部にミシン目を介して連結されると共に添付物を挿入保持するための切り込みを有する補助片とを備え、補助片がミシン目によりカード本体から切り離し自在になっているものである。
【０００６】
なお、好ましくは、補助片がミシン目でカード本体の表面上に折り込まれ、カード本体が補助片を間に挟むように二つ折りされる。
また、メッセージとして会葬のあいさつをカード本体に記し、添付物として清めの塩を収容した袋を用いることができる。あるいは、メッセージとして営業上のあいさつをカード本体に記し、添付物として名刺または営業上の特典が示されたクーポン券を用いることもできる。さらに、メッセージとして製品の説明をカード本体に記し、添付物としてその製品の試供品を用いてもよい。
【考案の効果】
【０００７】
以上説明したように、この考案に係るメッセージカードによれば、添付物を補助片の切り込みに挿入することにより、添付物をカードと一体に保持させることができる。
また、補助片がミシン目によりカード本体から切り離し自在になっているので、添付物を用いない場合には補助片をカード本体から切り離してカード本体のみを使用することもできる。
【考案を実施するための最良の形態】
【０００８】
以下、この考案の実施の形態を添付図面に基づいて説明する。
図１にこの考案の実施の形態に係るメッセージカードを示す。メッセージカードは、カード本体１と補助片２から構成されており、補助片２はカード本体１の一側縁部にミシン目３を介して連結されている。カード本体１は、互いに同じ大きさのカード部分４および５に分割されるように二つ折りされ、カード部分５の一側縁部にミシン目３を介して補助片２が連結されている。補助片２は、カード部分４および５よりも短い幅に形成されており、ミシン目３でカード部分５の表面上に折り込まれ、カード部分４をカード部分５の上に重ねるように折り畳んだときに、補助片２がカード部分４および５の間に挟まれる。また、補助片２には、図示しない添付物を挿入保持するための切り込み６が形成されている。
【０００９】
図２にこのメッセージカードの展開図を示す。カード本体１のカード部分４の一側縁部に折り曲げ線７を介してカード部分５が連結され、カード部分４とは反対側のカード部分５の一側縁部にミシン目３を介して補助片２が連結されている。図１に示すようにメッセージカードを閉じたときに、カード部分４の外側面Ａがメッセージカードの表紙として、カード部分５の外側面Ｂがメッセージカードの裏表紙として外部に現れる。
また、メッセージカードを開いたときには、図３に示されるカード部分４の内側面Ｃとカード部分５の内側面Ｄが外部に現れる。
したがって、カード部分４の内側面Ｃとカード部分５の内側面Ｄにあいさつなどのメッセージを記載することができるが、必要に応じてメッセージカードの表紙および裏表紙となるカード部分４の外側面Ａおよびカード部分５の外側面Ｂにもメッセージを記すこともできる。
【００１０】
カード本体１にメッセージを記載した後は、図４に示されるように、補助片２の切り込み６に添付物８を挿入保持させ、この状態で補助片２をミシン目３でカード部分５に対して折り曲げることにより、補助片２がカード部分５の内側面Ｄ上に折り込まれる。
さらに、図５に示されるように、カード部分４を折り曲げ線７でカード部分５に対して折り曲げることによりカード部分４の内側面Ｃがカード部分５の内側面Ｄおよび補助片２に対向するようにカード本体１を二つ折りする。これにより、図１に示したように、補助片２がカード部分４および５の間に挟まれ、カード部分４がカード部分５の上に重ねられる。
【００１１】
このように折り畳まれた状態でメッセージカードを手渡したり、封筒に入れて郵送することができる。
メッセージカードの受け取り人は、図５に示されるように、カード部分４を折り曲げ線７でカード部分５から開くことにより、補助片２の切り込み６に挿入保持された添付物８が目に入り、添付物８を補助片２の切り込み６から取り出すことができる。その後、図６に示されるように、補助片２をミシン目３でカード本体１から切り離し、カード本体１のみを保存してもよい。
また、添付物８を使用しない場合には、はじめに補助片２をミシン目３でカード本体１から切り離し、カード本体１のみを用いてメッセージカードとして利用することも可能である。
【００１２】
なお、カード本体１は必ずしも二つ折りする必要はなく、ひとつのカード部分の一側縁部にミシン目３を介して補助片２を連結したものでもよい。さらに、三つ折り以上のカード本体１を用いることもできる。
また、カード本体１の形状は矩形に限るものではなく、各種の形状のカード本体を用いることができる。補助片２の形状も何ら限定されるものではなく、カード本体１の一側縁部にミシン目３を介して連結されていればよい。
補助片２の切り込み６も、添付物８が挿入保持されればよく、その形状には限定されない。さらに、２本以上の切り込み６で添付物８を保持してもよい。
【００１３】
会葬のあいさつをメッセージとしてカード本体１に記し、添付物８として清めの塩を収容した袋を用いることにより、このメッセージカードを会葬礼状として利用することができる。
また、メッセージとして営業上のあいさつをカード本体１に記し、名刺を添付物８として、あるいは割引券や優待券等の営業上の特典が示されたクーポン券を添付物８として添付することもできる。
さらに、メッセージとして製品の説明をカード本体１に記し、その製品の試供品を添付物として添付してもよい。
この他、各種の目的のカードとしてこのメッセージカードを利用することが可能である。
【図面の簡単な説明】
【００１４】
【図１】この考案の実施の形態に係るメッセージカードを示す斜視図である。
【図２】実施の形態に係るメッセージカードの展開図である。
【図３】メッセージカードの裏面を示す展開図である。
【図４】補助片を折り込む状態を示す図である。
【図５】カード本体を二つ折りする状態を示す図である。
【図６】補助片をカード本体から切り離した状態を示す図である。
【符号の説明】
【００１５】
１  カード本体、２  補助片、３  ミシン目、４，５  カード部分、６  切り込み、７  折り曲げ線、８  添付物、Ａ，Ｂ  外側面、Ｃ，Ｄ  内側面。
【図１】
0003124197.tif 000003
【図２】
0003124197.tif 000004
【図３】
0003124197.tif 000005
【図４】
0003124197.tif 000006
【図５】
0003124197.tif 000007
【図６】
0003124197.tif 000008